(57)【特許請求の範囲】
【請求項１】
複数のＴＶ信号を受信する能力があるマルチフォーマットＴＶ受像機内のクロックをユーザに手動で設定させる方法であって、
前記複数のＴＶ信号から１つのＴＶ信号を選択するステップと、
前記選択したＴＶ信号内のテンポラル情報を検出するステップと、
前記テンポラル情報から時刻コンポーネントまたは日付コンポーネントを取り出すステップと、
前記取り出したテンポラル情報から少なくとも１つのクロックを設定するステップであって、前記取り出した時刻または日付コンポーネントが任意の手動で設定された時間に優先するステップと、
前記クロックの時刻値または日付値を前記ユーザが手動で設定できないようにするステップと、
前記ＴＶ信号からの更新されたテンポラル情報の更新を受信すると開始する時を刻むステップと、
前記更新されたテンポラル情報が指定された期間を過ぎても検出されない場合に、前記ユーザが前記クロックを手動で設定できるようにするステップと
を備えたことを特徴とする方法。
【請求項２】
複数のＴＶ信号を受信する能力があるマルチフォーマットＴＶ受像機内のクロックをユーザに手動で設定させる装置であって、
前記複数のＴＶ信号から１つのＴＶ信号を選択する手段と、
前記選択されたＴＶ信号内のテンポラル情報を検出する手段と、
前記テンポラル情報から時刻コンポーネントまたは日付コンポーネントを取り出す手段と、
前記取り出されたテンポラル情報から少なくとも１つのクロックを設定する手段であって、前記取り出した時刻または日付コンポーネントが任意の手動で設定された時間に優先する手段と、
前記クロックの時刻値または日付値を前記ユーザが手動で設定できないようにする手段と、
前記ＴＶ信号からの更新されたテンポラル情報の更新を受信すると開始する時を刻む手段と、
前記更新されたテンポラル情報が指定された期間を過ぎても検出されない場合に、ユーザが前記クロックを手動で設定できるようにする手段と
を備えたことを特徴とする装置。
【発明の詳細な説明】
【０００１】
【発明の属する技術分野】
本発明は、ＴＶ（television）レシーバに関し、具体的には、ＴＶレシーバのクロック内にストアされるテンポラル情報を設定する方法および装置に関する。
【０００２】
【従来の技術】
これは予想されることであるが、将来、ＴＶレシーバは複数のソース、例えば、衛星放送と、ケーブル放送と、地上波放送からＴＶ信号を受信する能力を有することになる。その上、このようなＴＶレシーバはアナログおよびデジタルＴＶフォーマットを含むＴＶ信号に適応する能力を有することになる。
【０００３】
現在のアナログＴＶフォーマットには、ＮＴＳＣ（National Television Standards Committee）と、ＳＥＣＡＭ（Sequential Technique and Memory Storage）と、ＰＡＬ（Phase Alternation by Line）によって普及されたアナログＴＶフォーマットが含まれている。現行のデジタルフォーマットは、DirecTVのようなＤＢＳ（Direct Broadcast Satellite）により普及したフォーマットと、ＡＴＳＣ（American Television Standards Committee）およびＭＰＥＧ（Movie Pictures Expert Group）標準に準拠した、ＨＤＴＶ（High Definition Television）のようなデジタル地上波放送により普及したフォーマットとを備えている。
【０００４】
【発明が解決しようとする課題】
マルチフォーマットソースがＴＶによって受信されているとき、ＩＲＤ（integrated receiver and decoder）のデジタルクロックをセットするという問題が明らかにされている。具体的には、ＤＢＳレシーバは、ユーザに、ＤＢＳレシーバの日付か、時刻か、夏時間か、タイムゾーン情報をセットさせない。
【０００５】
さらに、各フォーマットは、ビデオおよびオーディオ情報とともに伝送されるテンポラル（temporal）情報を有することができる。デジタル地上波ソースからの放送は、通常、テンポラルコンポーネントを含んでいるが、テンポラルコンポーネントはチャネルごとに異なる可能性がある。例えば、ＮＢＣのチャネルは2:06 p.m.の値を有するデジタルテンポラルコンポーネントを提供でき、他方、ＡＢＣのチャネルは2:09 p.m.の値を有するデジタルテンポラルコンポーネントを有することができる。さらに、衛星からのデジタル放送はデジタル地上波放送と異なるテンポラル情報、例えば、2:07 p.m.を伝送できる。これに対して、アナログ地上波ソースからの典型的な放送は、テンポラルコンポーネントを含んでいない。
【０００６】
したがって、ＴＶレシーバの有するＩＲＤのクロックは、デジタル伝送されたＴＶシステムからテンポラルコンポーネントを抽出してセットされる。ユーザがＴＶ信号の受信ソースを例えばＤＢＳからアナログ地上波放送に変更するとき、当該ユーザはＴＶのクロック時刻を手動で変更することはできない。したがって、ＴＶ信号内のテンポラルコンポーネントの値は、その後、ＴＶレシーバのクロックが保持する時刻になる。この関係は、テンポラル情報を有する他のデジタル放送ソースがユーザによって選択されるまで維持される。
【０００７】
実例を挙げると、ユーザが１つのソースからあるチャネルの特定の番組（例えば、8:00 p.m.にＨＤＴＶ伝送で放送されるＣＢＳの番組）を録画したいが、その前に、ＴＶの内蔵クロックが別のソースによってセットされている（例えば、7:55 p.m.にＤＢＳの番組）とき、ユーザが手動で時刻をセットできないという問題が生じる。この場合、ユーザのＴＶ内のクロックはＤＢＳのテンポラル信号によって設定され、7:55 p.m.を表示することになる。ＤＢＳのテンポラル情報はＨＤＴＶ放送のテンポラル情報と同期しておらず、５分遅れている。５分後、すなわち、クロックが8:00 p.m.を表示すると、録画装置が、選択されている局、すなわち、ＣＢＳの番組の録画を開始することになる。しかし、ＣＢＳの番組の最初の５分は録画されないことになる。なぜなら、ＣＢＳのチャネル時刻はＨＤＴＶ放送チャネルより５分進んでいるからである。
【０００８】
さらに、ユーザによる不要な時刻変更を避けるため、指定された時間の間、ユーザがクロックを手動でセットすることを禁止する必要がある。例えば、子供が子供向けでない番組を録画するため、ＴＶのクロックの時刻を変更する可能性がある。この例では、子供は、クロック設定をちょっといじるだけで、親のコントロールを回避できることになる。
【０００９】
そこで、当技術分野で必要なのは、マルチフォーマットＴＶ信号のうちの１つによって伝送されるテンポラル時間に干渉せずに、ＴＶ信号のマルチフォーマットソース間の時刻のずれを調整するために、ユーザがユーザのクロックをＴＶレシーバに選択的に設定する方法および装置である。
【００１０】
【課題を解決するための手段】
上述した従来技術に関する不都合な点は、本発明に係る方法および装置により解決される。本発明に係る方法および装置によれば、複数のＴＶ信号を受信できるマルチフォーマットＴＶレシーバ内のクロックを、ユーザが手動で設定することができる。
【００１１】
本発明に係る方法は、複数のＴＶ信号から１つのＴＶ信号を選択し、ＴＶ信号内のテンポラル情報を検出するステップを含んでいる。このようなテンポラル情報を検出すると、テンポラル情報のコンポーネントが取り出され、時を刻むための少なくとも１つのクロックを設定するために使用される。取り出したテンポラルコンポーネントに基づいて、一度、クロックが設定されると、テンポラルコンポーネントの値は手動で設定された任意の時刻に優先し、ユーザはクロックに時刻値または日付値を手動で設定できなくなる。ＴＶレシーバはＴＶ信号で伝送される最新の周期的なテンポラル情報に基づいてクロックを更新し続ける。ユーザは更新されたテンポラル情報が指定期間（例えば、１時間）を過ぎても検出されない場合に限って、クロックに時刻を手動で設定できる。
【００１２】
さらに、ユーザはいつでもクロックのタイムゾーン値または夏時間値を手動で設定できる。ＴＶ信号から検出されたテンポラルコンポーネントに基づいて時を刻むため、手動のクロック設定はテンポラルコンポーネントの値と一致しなければならない。ＴＶ信号内のこのようなテンポラル情報を利用することが望ましい場合には、クロックにタイムゾーン値または夏時間値を設定するため、デフォルト装置が提供される。
【００１３】
したがって、ユーザは、テンポラル情報を有し放送されたＴＶ信号に干渉せずに、適時にクロックを設定することができる。さらに、ユーザは別のユーザが指定期間にクロックを手動で設定することを禁止して、不要な時間変更を避けることができる（例えば、子供が子供向けでない番組を視聴したり録画したりしようとする場合である）。
【００１４】
本発明の教示は添付の図面を参照して詳細な説明を検討することにより容易に理解できる。
【００１５】
【発明の実施の形態】
以下、本発明を主にＴＶレシーバのコンテキスト内で説明する。このＴＶレシーバはテンポラル情報を含むＴＶ信号を受信するようになっている。このテンポラル情報はテンポラルコンポーネント、例えば、時刻と、日付と、タイムゾーンと、夏時間を備えることができる。しかし、当業者にとって当然のことであるが、本発明は、時刻（time of day）情報が受信した時刻情報に応答するか、ローカルに提供された（例えば、手動で入力された）時刻情報に応答して更新できる任意のシステムに十分に適している。
【００１６】
図１はマルチプルフォーマットＴＶレシーバ１００のブロック図を示す。ＴＶレシーバ１００は、ユーザによって選択された種々のマルチプルフォーマットＴＶ信号からの、オーディオと、ビデオと、テンポラル情報を同調し復調し処理する。マルチプルフォーマットＴＶ信号には、DirectTVのようなＤＢＳと、ＨＤＴＶのようなデジタル地上波放送と、ＮＴＳＣに準拠するアナログ地上波放送が含まれる。
【００１７】
そして、オーディオコンポーネントと、ビデオコンポーネントと、（存在すれば）テンポラルコンポーネントは、出力装置、例えば、スピーカと、ディスプレイと、クロックにそれぞれ伝送される。好ましい実施形態では、ＴＶレシーバ１００はＴＶセットトップボックスか、ＶＣＲ（video cassette recorder）か、コンピュータを備えることができるか、テンポラル情報を有するＴＶ信号を受信する能力を有する他の装置を備えることができる。
【００１８】
ＴＶレシーバ１００はフロントエンドプロセッサ１０２を備えており、このフロントエンドプロセッサ１０２は少なくとも１つのチューナ１０４と、少なくとも１つの復調装置１０６と、他の処理回路１０７とを有する。レシーバ１００は、チューナ選択信号パス１０８を介して、選択信号に応答して、複数のＴＶ信号１１０1〜１１０n（集合的にＴＶ信号１１０）の少なくとも１つに、選択的に同調し復調するか、さもなくば、「受信する」。ＴＶ信号１１０はアナログフォーマットまたはデジタルフォーマット（例えば、ＡＦ−１〜ＡＦ−ｍか、ＤＦ−１〜ＤＦ−ｎ）で伝送される。フロントエンドプロセッサ１０２をインプリメントするために使用される回路は、所望のフォーマットタイプのＴＶ信号１１０を受信するように適合される。アナログフォーマットには、慣用のアナログ放送またはケーブル伝送方式、例えば、ＮＴＳＣか、ＳＥＣＡＭか、ＰＡＬ伝送標準によって使用されるアナログフォーマットが含まれる。デジタルフォーマットには、ＤＢＳのような衛星放送フォーマットが含まれる。同様に、デジタルフォーマットには、地上波放送システムおよびケーブル伝送システム、例えば、ＨＤＴＶおよびケーブルフォーマットが含まれ、これらはＡＴＳＣおよびＭＰＥＧ伝送標準に準拠している。したがって、フロントエンドプロセッサ１０２は複数の標準ＴＶフォーマットにそれぞれ従ってＴＶ信号を処理する能力を有する。
【００１９】
コントローラアセンブリ１３０はチューナ選択パス１０８を介してフロントエンドプロセッサ１０２に接続されていて、ユーザはフロントエンドプロセッサ１０２を選択してマルチプルフォーマットＴＶ信号１１０のうちの任意の信号に同調させることができる。ユーザはリモートコントローラのような入力装置１３３により選択し、入力装置１３３からのチャネル選択信号１０９を、コントローラアセンブリ１３０に結合されたＩ／Ｏポート１３２に伝送する。そして、コントローラ１３０はこのチューナ選択信号を、パス１０８を介して、フロントエンドプロセッサ１０２のチューナ１０４に伝送する。
【００２０】
フロントエンドプロセッサ１０２はオペレートして、コントローラ１３０供給の選択信号に応答して、選択されたＴＶ信号１１０に同調し、選択されたＴＶ信号内のビデオおよびオーディオ情報を復調し、このビデオおよびオーディオ情報を（信号パス１１２を介して）ビデオプロセッサ１２２供給し、（信号パス１１４を介して）オーディオプロセッサ１２４に供給する。ビデオプロセッサ１２２およびオーディオプロセッサ１２４は、ビデオおよびオーディオ情報を処理し、ついで、このビデオおよびオーディオ情報を、出力装置、例えば、モニタとスピーカに伝送する。さらに、同調ＴＶ信号１１０が有する任意のテンポラル情報は、信号パス１１６を介して、コントローラ１３０に供給される。
【００２１】
テンポラル情報がＴＶ信号源から供給されると、テンポラルコンポーネント、すなわち、時刻と、日付と、タイムゾーンと、夏時間がＴＶ信号から抽出される。その後、取り出したテンポラルコンポーネントの値がメモリ装置１３６にストアされる。典型的には、テンポラル情報は番組情報とともに、ＴＶ放送業者によって、周期的に例えば１５分または３０分ごとに伝送される。このテンポラル情報はＥＰＧ（electronic program guide）、例えば、ＡＴＳＣ標準に準拠するデジタル伝送用のＰＳＩＰ(program specific information protocol）を介して伝送できる。
【００２２】
少なくとも１つのクロック１４０がＴＶレシーバ１００に供給される（図１には、１つのクロックを示す）。クロックはディスプレイ１４２と、制御パネル１４４と、図示しないサポート回路を備える。クロック１４０はコントローラ１３０のメモリ装置１３６にも結合されている。クロック信号パス１４８により、コントローラはＴＶ信号１１０（例えばＥＰＧ）から取り出されたテンポラル情報で、クロック１４０を周期的に更新できる。各周期的な更新時に、更新されたテンポラル情報はメモリ１３６にストアされる。その後、テンポラル情報がＥＰＧを介して次に伝送されるまで、このクロックは内部的に時を刻み続ける。
【００２３】
好ましい実施形態では、テンポラル情報を含む各ＴＶフォーマットに対して、対応するクロックが存在する。例えば、デジタル地上放送ソースまたはデジタル放送衛星ソースに対して、クロックが存在する。その他の実施形態は複数のクロックを有するＴＶレシーバを含むことができる。各クロックは、テンポラル情報を有するＴＶソースの各チャネルか、最も人気がある複数のチャネルに対応する。
【００２４】
クロック１４０は複数の機能をサーブする。例えば、時刻と、日付と、夏時間と、タイムゾーンを含むテンポラル情報を表示する。このディスプレイとして、ＬＥＤディスプレイパネルか、ＧＵＩ（graphic user interface）を例として挙げることができ、例えば、制御パネル１４４またはリモートコントローラ１３３によりアクセス可能である。クロック機能として、ユーザが、例えば、特定のチャネルのＴＶ番組を録画したい時にユーザがクロック１４０で時刻または日付を事前設定することを可能にする機能か、時刻に基づいてチャネル選択を禁止する機能を備えることができる。このようなチャネル禁止は、子供が不適切なビデオ番組を自由裁量で視聴できなくするために望ましい。
【００２５】
コントロールパネル１４４はクロックのテンポラル情報を手動で設定するために使用される。さらに、コントロールパネル１４４には画面のＧＵＩまたはリモートコントローラ１３３を介してアクセスすることができる。
【００２６】
さらに、デフォルト装置１４６はクロック１４０に結合されている。デフォルト装置１４６は、例えば、コントロールパネルまたはリモートコントローラ上のボタンか、ＴＶセットのディスプレイ画面でアクセス可能なＧＵＩである。デフォルト装置１４６により、ユーザはクロックを再設定することができる。この再設定は、ＴＶ信号１１０に含まれるテンポラル情報に駐在するタイムゾーンおよび夏テンポラルコンポーネントに基づいて、時を刻むために行われる。ユーザが手動でタイムゾーンまたは夏時間値１４０に時間を合わせるか、あるは、テンポラル情報を含まないＴＶ信号フォーマットからテンポラル情報を有するＴＶ信号フォーマットに変更した後は、ユーザは、ＥＰＧを介して伝送された正確なテンポラルコンポーネントは分からなくなる。したがって、このようなデフォルト装置は、ＴＶ信号１１０により伝送されているテンポラル情報が何であれ、このテンポラル情報に基づいてクロック１４６を再設定する。
【００２７】
図２はＴＶレシーバのクロックの時間設定の第１の方法２００の流れ図である。第１の方法２００は、それぞれ、時間および日付コンポーネント、例えば、時分秒と年月日を含むテンポラル情報に関する。このような第１の方法２００はコントローラ１３０とクロック１４０が協働することによりインプリメントされている。さらに、ユーザは第１の方法２００により、クロックの時刻を、手動で、しかも、テンポラル情報を供給するＴＶ信号と干渉せずに、変更できる。さらに、この第１の方法２００は、指定された期間、ユーザがクロック設定を手動で変更できないように、例えば、子供が子供向けでないＴＶ番組をみるためクロックを再設定しないようにするため用いることができる。
【００２８】
第１の方法２００はステップ２０１から開始する。ステップ２０２では、ユーザは、入力装置（例えば、リモートコントローラ）により、好みのＴＶ信号を選択する。選択されたＴＶ信号はフロントエンドプロセッサによって受信され、復調され、ダウンコンバートされ、ついで、処理のため、ビデオ・オーディオプロセッサに伝送される。そして、このビデオ・オーディオプロセッサは、ＴＶセットの個別の出力装置、例えば、モニタおよびスピーカに送られる情報を含むビデオ・オーディオ信号を生成する。
【００２９】
ステップ２０４では、第１の方法２００は、選択されたＴＶ信号内にテンポラル情報があるか否かをクエリする。ステップ２０４でのクエリに対して、否定応答が返された場合、すなわち、ユーザがＰＳＩＰガイドなしに慣用のアナログ放送局またはデジタル地上波放送を選択した場合、このクロックは、選択されたＴＶ信号によって設定されない。しかし、ステップ２０６で、ユーザは手動でこのクロックを設定でき、その後、このクロックはユーザ定義の設定に基づいて内部的に時を刻む。ステップ２０８で、第１の方法は終了し、ユーザが別の番組を選択するまで再び開始しない。したがって、第１の方法２００の一態様は、ＴＶ信号のテンポラル情報が受信されず、クロックによってストアされていない限り、ユーザがクロックをいつでも手動で設定できるということである。
【００３０】
ステップ２０４で、クエリに対して肯定応答が返された場合、すなわち、ＴＶ信号（例えば、ＤＭＳシステムからの）内で検出されたテンポラル情報（すなわち、時刻および日付コンポーネント）がある場合は、第１の方法はステップ２１０に進む。ステップ２１０で、テンポラルコンポーネント（すなわち、時、分、および秒）と、日付コンポーネント（すなわち、年、月、および日）が、ＴＶ信号から取り出され、メモリにストアされ、ついで、クロックディスプレイに表示される。
【００３１】
ステップ２１２で、クロックが伝送されたテンポラル情報を受信すると、クロックは、受信した時刻および日付コンポーネントに基づいて内部的に時を刻み続ける。ステップ２１４で、ＴＶ信号からテンポラル情報を受信すると、ユーザは、ユーザがＴＶ番組を変更するか否かに関わらず、指定の期間、例えば、１時間を手動で変更できなくなり、時刻および日付設定（すなわち、時、分、秒、年、月、および日）を手動で変更できなくなる。
【００３２】
ＤＢＳのような典型的なデジタル放送フォーマット中、デジタル放送業者は番組放送中に更新されたテンポラル情報を、周期的に、すなわち、１５分または３０分ごとに伝送することになる。ステップ２１６で、第１の方法２００は、更新されたテンポラル情報がＴＶ信号内にあるか否かをクエリする。ステップ２１６で、このクエリに対して肯定応答が返された場合、第１の方法２００は、ステップ２１０に戻り、時刻および日付コンポーネントを再び取り出され、コントローラ内のメモリ装置にストアされる。ステップ２１２で、クロックは更新されたテンポラルコンポーネントに基づいて内部的に時を刻み、ステップ２１４では、ユーザは依然としてクロックを手動で設定できない。
【００３３】
ステップ２１６で、クエリに対して否定応答が返されるまで、第１の方法２００内のサブルーチンループに入る。ついで、第１の方法２００はステップ２１８に進む。ステップ２１８で、第１の方法２００は、指定された期間（例えば、１時間）が経過したか否かをクエリする。指定された期間は、ユーザがＴＶソースを終了したという合理的な仮定を行なうためのタイミング機構として利用される。この仮定は、クロックが指定の期間（例えば、１時間）内にテンポラル情報で更新されていない場合に、確認される。
【００３４】
例えば、ユーザは、クロックを１９９９年１１月２４日、３：０４p.m.に設定する時刻および日付コンポーネントを有するＴＶチャネルを選択する。その後、クロックは内部的に時を刻み続け、ＴＶレシーバは、ステップ２１０から２１６によって定義されたループに示すように、１５分または３０分ごとに訪れるテンポラル情報の周期的な更新を電子番組ガイドにクエリする。しかし、次の１時間内に更新がない場合、４：０４p.m.になると、ステップ２１８（図２を再度参照）のクエリに対して肯定の応答が返され（すなわち、指定された時間が経過している）、第１の方法２００はステップ２２２に進む。ステップ２２２で、ユーザは今後はクロックを手動で設定できる。第１の方法２００はステップ２２４に進み、本方法は終了し、テンポラル情報を有する別のＴＶ信号が選択されると、第１の方法は再び開始する。
【００３５】
したがって、第１の方法２００を用いてＴＶ信号内でテンポラル情報を受信する前と、テンポラル情報を有するＴＶ信号の受信後に、しかし指定された期間が経過した後でのみ、ＴＶレシーバ内のクロック設定の手動の変更が可能になる。このようにして、ある人物（例えば、子供）が、例えば、保護者によって視聴が望ましくないと判断された番組を視聴するため、ＴＶレシーバの時刻を変えることを防止できる。
【００３６】
図３はＴＶレシーバのクロックを設定する第２の方法３００の流れ図である。第２の方法３００はタイムゾーンおよび夏時間コンポーネントを有するテンポラル情報に関する。これら２つの時間要素は、図２の第１の方法２００内で供給された場合を除き、手動で変更できない時刻および日付コンポーネント（すなわち、時、分、秒、年、月、および日）とは異なり、いつでもユーザが手動で変更できる。
【００３７】
タイムゾーンまたは夏時間のユーザによる手動の変更は、ＴＶ信号から受信した時刻または日付コンポーネントの値（すなわち、時、分、秒、年、月、および日）には影響しない。このような補助テンポラル情報（すなわち、タイムゾーンおよび夏時間）は、時刻および日付コンポーネントに基づき、時刻および日付コンポーネントへのオフセットとして時間値を加算または減算することでクロック上に表示される。
【００３８】
電子番組ガイドは、通常、ＧＭＴ（Greenwich Mean Time）に基づく。したがって、ユーザは物理的な時刻および日付コンポーネント（時、分、秒、年、月、および日）を変更できないが、タイムゾーンおよび夏時間値は現在の時刻および日付からの正または負のオフセットであるため、これらに値は変更できる。
【００３９】
例えば、ユーザはそのクロックのタイムゾーン値をニューヨークの４：０７p.m.ＥＳＴ（Eastern Standard Time）に変更して、ＴＶレシーバが１９９９年１２月２５日、９：０７p.m.ＧＭＴの日付および時刻値を備えるＴＶ信号番組を受信するようにできる。第２の方法３００は夏時間コンポーネントについても同様に適用される。
【００４０】
第２の方法３００はステップ３０１から開始し、ステップ３０２で、ユーザが所望の番組を搬送するＴＶ信号を選択する。ＴＶ信号はフロントエンドプロセッサによって受信され、復調され、ダウンコンバートされ、処理されて、ビデオ、オーディオ、および時間（ある場合）コンポーネントが取り出される。ついで、取り出されたビデオ、オーディオ、およびテンポラルコンポーネントは、モニタ、スピーカ、クロックのような各ＴＶセットの出力に伝送される。
【００４１】
ステップ３０４で、第２の方法３００はＴＶ信号内にテンポラル情報があるか否かをクエリする。ステップ３０４のクエリに対して否定応答が返された場合、クロックは着信ＴＶ信号（例えば、アナログ地上波放送）によって更新できない。しかし、ステップ３０６で、クロックはユーザによって手動で設定可能で、ステップ３２０で第２の方法は終了する。この後、手動のクロック設定はユーザによって選択的に変更されるクロック値またはＴＶ信号のテンポラルコンポーネントに基づかない現在のクロック値として定義される。したがって、ＴＶレシーバがテンポラル情報を受信しない場合、ユーザは時刻、日付、タイムゾーンおよび夏時間についてクロックを手動で設定できる。
【００４２】
ステップ３０４で、クエリに対して肯定応答が返された場合、すなわちテンポラル情報がＴＶレシーバによって受信され、ついで、第２の方法３００はステップ３０８に進む。ステップ３０８で、フロントエンドプロセッサは存在できるタイムゾーンおよび／または夏時間コンポーネントを備える任意のテンポラルコンポーネントを取り出す。しかし、この場合、ユーザがタイムゾーンおよび夏時間設定を手動で変更してＴＶ信号内の時間値に正確に一致させない限り、ユーザはＴＶレシーバを用いてＴＶ信号に乗せて伝送されたタイムゾーンおよび夏時間コンポーネントの時間値を利用できない。テンポラルコンポーネントは、放送されたＴＶ信号に埋め込まれているので、ユーザはタイムゾーンおよび／または夏時間コンポーネントの時間値は分からない。
【００４３】
例えば、放送業者がユーザの郵便番号に基づいてタイムゾーンおよび夏時間コンポーネントを備えるビデオおよびテンポラル情報を伝送すると仮定する。さらに、ユーザは米国のＥＳＴおよびＣＴ（Central Time）ゾーンの先端にある都市に定住している。この場合、郵便番号ではユーザはＥＳＴゾーンに属するが、ユーザの位置は実際にはＣＴＹゾーンに属する。したがって、ＥＳＴゾーンに基づいた不正確なテンポラル情報が伝送される。
【００４４】
ユーザがそのタイムゾーンおよび／または夏時間クロック設定をＥＳＴからＣＴゾーンに変更したい場合、ユーザは手動でクロック設定を変更できる。放送業者によって伝送される任意の新しいテンポラルコンポーネントは内部的に記憶されるが、このようなテンポラルコンポーネントの値はクロックには表示されない。ユーザが後に放送業者のテンポラル情報に基づいてクロックを設定することを決定しても、加入者はテンポラルコンポーネントの値を知ることはできない。
【００４５】
したがって、第２の方法３００は、ステップ３１０で、ＴＶ信号内のテンポラル情報に基づいてクロックを設定するデフォルト装置を供給する。ステップ３１０で、ユーザがデフォルト装置を使用すると肯定判定すると、第２の方法３００はステップ３１２に進み、ＴＶ信号から取り出したテンポラルコンポーネントを使用して、クロックが設定され順次更新される。これによって、タイムゾーンおよび／または夏時間の以前の手動の設定は無効になる。ＴＶレシーバがデフォルト指定でＴＶ信号内のテンポラル情報に基づいて時を刻むと、クロックは内部的に時を刻み続け、周期的に更新されたテンポラル情報を受信し続ける。
【００４６】
あるいはまた、ステップ３１０で、クエリが否定的な場合、すなわち、ユーザがタイムゾーンおよび／または夏時間のクロック設定がＴＶ信号内のテンポラルコンポーネントの値に基づかないであろうと判定した場合、第２の方法３００はステップ３０６に進む。ステップ３０６で、ＴＶ信号から取り出したテンポラルコンポーネントによって更新されなかった以前のタイムゾーンおよび／または夏時間値が維持され、ステップ３２０で方法３００は終了する。
【００４７】
したがって、第２の方法３００により、ユーザはタイムゾーンおよび／または夏時間について任意の時間にＴＶレシーバでクロックを設定できる。さらに、デフォルト装置が、以前の手動の設定ではなく、ＴＶ信号に乗せて伝送されたテンポラルコンポーネントの値に基づいてクロックを設定できる機能をユーザに供給する。このようにして、ユーザはクロック設定を調整してその要件を満足することができる。
【００４８】
当業者にとって当然のことであるが、マルチプルフォーマットレシーバ内のクロックを設定する新しい方式が供給されている。本明細書に記載の方法によれば、従来技術に関連する問題点が解決される。本明細書では、本発明の教示を組み込む種々の実施形態が詳細に示され、記載されているが、これらの教示を組み込む他の種々の実施形態を当業者は直ちに考案できるであろう。
【図面の簡単な説明】
【図１】マルチプルフォーマットＴＶレシーバのブロック図である。
【図２】ＴＶレシーバにクロックを設定する第１の方法の流れ図である。
【図３】ＴＶレシーバにクロックを設定する第２の方法の流れ図である。
【符号の説明】
１００  マルチプルフォーマットＴＶレシーバ
１０２  フロントエンドプロセッサ
１０４  チューナ
１０６  復調装置
１０７  他の処理回路
１０８  チューナ選択信号パス
１０９  チャネル選択信号
１１０  ＴＶ信号
１１０１〜１１０ｎ  ＴＶ信号
１１２  信号パス
１１４  信号パス
１１６  信号パス
１２２  ビデオプロセッサ
１２４  オーディオプロセッサ
１３０  コントローラ
１３２  Ｉ／Ｏポート
１３６  メモリ装置
１４０  クロック
１４２  ディスプレイ
１４４  コントロールパネル
１４６  デフォルト装置
１４８  クロック信号パス
【図１】
0004679697.tif 000002
【図２】
0004679697.tif 000003
【図３】
0004679697.tif 000004